(57)【特許請求の範囲】
【請求項１】
耐候光試験機において温度を測定するための計器であって、
表側に液晶表示部を有し、かつ、本体の裏面方向から受けた光を反射して当該液晶表示部を照らす反射手段を有することにより、表示を読み取りやすくしたブラックパネル温度計であることを特徴とする耐候光試験機用温度計。
【請求項２】
耐候光試験機において温度を測定するための計器であって、
表側に液晶表示部を有し、かつ、本体の裏面方向から受けた光を反射して当該液晶表示部を照らす反射手段を有することにより、表示を読み取りやすくしたブラックスタンダード温度計であることを特徴とする耐候光試験機用温度計。
【請求項３】
前記反射手段が、本体の斜め上前方に配置した、凹面を液晶表示部側にしたカーブを有する庇であることを特徴とする請求項１又は請求項２記載の耐候光試験機用温度計。
【請求項４】
前記反射手段が、本体の斜め上前方に配置した、先端を液晶表示部側に折り曲げた庇であることを特徴とする請求項１又は請求項２記載の耐候光試験機用温度計。
【請求項５】
前記反射手段が、（１）本体の裏側に取り付けた試料ホルダに固着させた、（２）本体の上面と裏面を区画する側辺付近を中心とし、半径が、当該辺から液晶表示部までの距離より大きい、３分の１円分の円弧を有する、（３）金属製の帯状の板であることを特徴とする請求項１から請求項３のいずれかに記載の耐候光試験機用温度計。
【請求項６】
前記反射手段が（１）本体の裏側に取り付けた試料ホルダに固着させた、（２）本体の上方から計器上面に平行にせり出して、本体と接触しないで下方に４５°垂れ下がり、かつ液晶表示部の高さ位置より短い先端を有する、（３）金属製の帯状の板であることを特徴とする請求項１、請求項２又は請求項４に記載の耐候光試験機用温度計。
【請求項７】
さらに、反射手段の液晶表示側の面が鏡面であることを特徴とする請求項３から請求項６のいずれかに記載の耐候光試験機用温度計。
【発明の詳細な説明】
【技術分野】
【０００１】
本発明は、耐候光試験機用温度計に関する。更に詳しくは、ブラックパネル温度計やブラックスタンダード温度計といった、耐候光試験機において温度を測定するための計器である、液晶表示タイプの耐候光試験機用温度計に関するものである。
【背景技術】
【０００２】
耐候光試験においては、耐候光試験機にブラックパネル温度計やブラックスタンダード温度計といった、耐候光試験機用温度計を用いて試料面温度の管理を行う（例えば、特許文献１参照）。
【特許文献１】特開２００１−１４７１９２号公報（第１図）
【０００３】
耐候光試験機用温度計は、読み取り可能なように、試料枠の外側が表示部となるように試料ホルダに取り付ける。耐候光試験機用温度計には、長年、針で温度を示すタイプが使用されてきたが、最近は、液晶表示を有するものも使用されるようになっている（例えば、特許文献２参照）。
【特許文献２】特許３３８８２８４号公報（第１図）
【０００４】
従来の耐候光試験機用温度計においては、裏面から当たる光源の光が逆光となり、表示を読み取りづらいという問題があった。
【０００５】
かかる問題を解決する手段として、針で温度を示すタイプでは、発光ダイオードライトをつかって読み取る耐候光試験機用温度計が開発された（例えば、特許文献３参照）。
【特許文献３】特許３４２１６４１号公報（第１図）
【０００６】
しかし、液晶表示タイプでは、発光ダイオードライトを使っても表示部が大きいため、表示部全体を照らすには発光ダイオードライトの数を増やさなければならず、コストがかかるという問題があった。また、新たにコードやライトを取り付けるとそれらが光により劣化する恐れがあるという問題があった。
【発明の開示】
【発明が解決しようとする課題】
【０００７】
本発明が解決しようとする問題点は、液晶表示タイプでの表示を読み取りにくい点である。
【０００８】
本発明は、かかる問題を鑑みてなされたものであり、したがって、本発明の目的は、液晶表示タイプで、コストを上げずに表示を読み取りやすくできる耐候光試験機用温度計を提供することにある。本発明者らは、上記の目的を達成するために鋭意研究を重ねた結果、試行錯誤の上、本発明を完成するに至った。
【課題を解決するための手段】
【０００９】
上記目的を達成するために、本発明の耐候光試験機用温度計は、耐候光試験機において温度を測定するための計器であって、表側に液晶表示部を有し、かつ、本体の裏面方向から受けた光を反射して当該液晶表示部を照らす反射手段を有することにより、表示を読み取りやすくしたブラックパネル温度計であることを特徴とするものである。
【００１０】
本発明の耐候光試験機用温度計は、耐候光試験機において温度を測定するための計器であって、
表側に液晶表示部を有し、かつ、本体の裏面方向から受けた光を反射して当該液晶表示部を照らす反射手段を有することにより、表示を読み取りやすくしたブラックスタンダード温度計ことを特徴とするものであってもよい。
【００１１】
本発明の耐候光試験機用温度計は、前記反射手段が、本体の斜め上前方に配置した、凹面を液晶表示部側にしたカーブを有する庇であるか、前記反射手段が、本体の斜め上前方に配置した、先端を液晶表示部側に折り曲げた庇であることが好ましい。
【００１２】
本発明の耐候光試験機用温度計は、更に好ましくは、前記反射手段が、（１）本体の裏側に取り付けた試料ホルダに固着させた、（２）本体の上面と裏面を区画する側辺付近を中心とし、半径が、当該辺から液晶表示部までの距離より大きい、３分の１円分の円弧を有する、（３）金属製の帯状の板である。
【００１３】
また、本発明の耐候光試験機用温度計は、更に好ましくは、前記反射手段が（１）本体の裏側に取り付けた試料ホルダに固着させた、（２）本体の上方から計器上面に平行にせり出して、本体と接触しないで下方に４５°垂れ下がり、かつ液晶表示部の高さ位置より短い先端を有する、（３）金属製の帯状の板であることを特徴とするものであってもよい。
【００１４】
本発明の耐候光試験機用温度計は、より好ましくは、さらに、反射手段の液晶表示側の面が鏡面であるものである。
【発明の効果】
【００１５】
本発明の耐候光試験機用温度計は、上述したとおりであるので、液晶表示タイプで、コストを上げずに表示を読み取りやすくできる。なお、本発明によれば、新たに劣化の原因となるようなライトやコード類を用いなくてすむ。試験に用いる光源の光を有効利用して読み取りやすさを向上させることができる。
【発明を実施するための最良の形態】
【００１６】
液晶表示タイプで、コストを上げずに表示を読み取りやすく行うという目的を、計器の裏面方向から受けた光を反射して当該液晶表示部を照らす反射手段を有することにより、ライトやコード類を用いずに実現した。
【実施例１】
【００１７】
図１は、本発明の耐候光試験機用温度計の実施例１の左側面図である。また、図２は、本発明の耐候光試験機用温度計の実施例１の正面図である。さらに、図３は本発明の耐候光試験機用温度計の実施例１の要部拡大図である。図１、図２、及び図３に示した本発明の実施例１の耐候光試験機用温度計(６)は、反射フード(１)及び本体(５)を有する。反射フード(１)は、試料ホルダ(２)に固着させてある。本体(５)には、表側に液晶表示部(３)を有し、裏面には、試料ホルダ(２)が取り付けてある。本発明の実施例１の耐候光試験機用温度計(６)は、液晶表示タイプのブラックスタンダード温度計であるが、液晶表示タイプであればブラックパネル温度計でもよい。
【００１８】
本発明の実施例１では、反射フード(１)は、金属製の帯状の板である。金属は、光や熱に対する耐性がプラスチックやゴムに比べた核、また、光沢性に優れ、反射率が高く、さらに加工がしやすい。なかでも、アルミやステンレスが特に適している。
【００１９】
また、本発明の実施例１では、反射フード(１)は、本体の上面と裏面を区画する側辺（４）付近を中心とし、半径が、当該辺から液晶表示部までの距離より大きい、３分の１円分の円弧を有するものである。光源からの光は、本体の裏面方向から照射される。光源がキセノンアークランプの場合、光源から耐候光試験機用温度計本体までの距離は４８０ｍｍである。反射フードと本体の間の空間が、光源中央から１５０ｍｍの高さにある場合、光源からの光は本体に対し、約１７度の角度をもって反射フードに入射される。光は反射フードの上部に当たり、反射する。反射した光の多くは、さらに反射フードの下部に当たり、二次反射し、一部はさらに三次反射して本体を照らすことになる。反射フードは耐候光試験機用温度計本体の裏面方向から受けた光を反射して液晶表示部(３)を照らす役目をする。
【００２０】
反射フード(１)が耐候光試験機用温度計本体より上方すぎると反射した光が液晶表示部(３)より上に当たり、液晶表示部は十分に明るくならない。逆にあまりに反射フードの上部が耐候光試験機用温度計本体の上面に近すぎても液晶表示部が反射フードで隠れてしまい、見えなくなる場合がある。また、円弧が４分の１円であると反射光が下方に逃げてしまい、液晶表示部は十分に明るくならない。逆にあまりに円弧が長すぎても液晶表示部とあたってしまう場合がある。
【００２１】
なお、試料ホルダが平面タイプでなく、「きっこうカッコ型（〔  ）」の場合、耐候光試験機用温度計は、中央部に取り付けるため、同じメカニズムとなる。
【００２２】
サンシャインカーボンアークランプにおいては、試料ホルダは「く」の字型であり、耐候光試験機用温度計(６)は、上側の試料ホルダに固着させて用いるため、１２．５度傾く。したがって、光源から耐候光試験機用温度計本体までの距離は４８０ｍｍである場合、光源からの光は本体に対し、約３０度の角度をもって反射フードに入射される。光は、やはり、反射フードの上部に当たり、反射する。反射した光の多くは、さらに反射フードの下部に当たり、二次反射して本体を照らすことになる。
【００２３】
本発明の実施例１でも、反射フード(１)は、光を反射するが、反射面が鏡面であるとより好ましい。
【００２４】
本発明の実施例１の耐候光試験機用温度計によれば、液晶表示タイプでコストを上げずに表示を読み取りやすくできる。
【実施例２】
【００２５】
図４は、本発明の耐候光試験機用温度計の実施例２の要部拡大図である。本発明の実施例２では、反射フード(１)は、円弧ではなく、平板を４５度に折り曲げてある。角度は、裏面からの反射光が液晶表示部にちょうど当たるようにしてある。
【００２６】
本発明の実施例２の耐候光試験機用温度計によっても、液晶表示タイプでコストを上げずに表示を読み取りやすくできる。
【図面の簡単な説明】
【００２７】
【図１】本発明の耐候光試験機用温度計の左側面図である。（実施例１）
【図２】本発明の耐候光試験機用温度計の正面図である。（実施例１）
【図３】本発明の耐候光試験機用温度計の要部拡大図である。（実施例１）
【図４】本発明の耐候光試験機用温度計の要部拡大図である。（実施例２）
【符号の説明】
【００２８】
１  反射フード
２  試料ホルダ
３  液晶表示部
４  側辺
５  本体
６  耐候光試験機用温度計
【要約】
【課題】液晶表示タイプのブラックパネル温度計やブラックスタンダード温度計で、コストを上げずに表示を読み取りやすくすることを可能とする耐候光試験機用温度計を提供すること。
【解決手段】耐候光試験機において温度を測定するための計器であって、表側に液晶表示部を有し、かつ、本体の裏面方向から受けた光を反射して当該液晶表示部を照らす反射手段を有するブラックパネル温度計又はブラックスタンダード温度計であることを特徴とする耐候光試験機用温度計。
【選択図】図１
【図１】
0003557531.tif 000002
【図２】
0003557531.tif 000003
【図３】
0003557531.tif 000004
【図４】
0003557531.tif 000005